(57)【要約】【目的】  複数台の放送受信装置或いは映像再生装置の連携的な使用を可能にし、或る放送受信装置において記録された放送を他の放送受信装置や映像再生装置において視聴することができるようにする。【構成】  家庭内においてディジタル放送受信装置Ａとディジタル放送受信装置Ｂとがルータ３１を用いた有線／無線ＬＡＮ（ローカルエリアネットワーク）によって接続されている。そして、ディジタル放送受信装置Ａは録画が行えない環境下にあり、その一方、ディジタル放送受信装置Ｂは外部録画機器３２がＩＥＥＥ１３９４等により接続されることで、受信放送の録画が行える環境下にある。ディジタル放送受信装置Ａから録画放送の転送要求がディジタル放送受信装置Ｂに対して与えられると、ディジタル放送受信装置Ｂから録画放送が外部録画機器３２から読み出されて、ディジタル放送受信装置Ａに転送される。【選択図】        図１
2006109134.tif 000002
【特許請求の範囲】
【請求項１】
受信したディジタル放送映像を記録媒体に記録する記録装置を具備するか或いは記録装置が外部接続可能に構成されたディジタル放送受信装置において、他の放送受信装置又は映像再生装置が有線／無線接続されるネットワーク接続手段を備え、有線／無線接続された他の放送受信装置又は映像再生装置から記録済放送映像の転送要求を受けたときに、記録媒体から読み出した記録済放送映像を前記ネットワーク接続手段によって他の放送受信装置又は映像再生装置に送信するように構成されていることを特徴とするディジタル放送受信装置。
【請求項２】
請求項１に記載のディジタル放送受信装置において、前記転送要求に対して転送の許可／不許可を決定する制御カードが装着されるカードインターフェイスを備えており、前記カードインターフェイスに正規の制御カードが装着されているときに限り、前記転送要求に応えて記録済放送映像のネットワーク送信を行うように構成されていることを特徴とするディジタル放送受信装置。
【請求項３】
請求項２に記載のディジタル放送受信装置において、前記制御カードには暗号化のための情報が記録されており、この暗号化のための情報に基づいて記録済放送映像を暗号化してネットワーク送信するように構成されていることを特徴とするディジタル放送受信装置。
【請求項４】
他の放送受信装置に有線／無線接続するためのネットワーク接続手段と、ネットワーク接続された他の放送受信装置に対する映像転送の要求の許可／不許可を決定する制御カードが装着されるカードインターフェイスと、を備えており、前記カードインターフェイスに正規の制御カードが装着されているときに限り、前記映像転送の要求を行うように構成されていることを特徴とするディジタル放送受信装置。
【請求項５】
請求項４に記載のディジタル放送受信装置において、前記制御カードには暗号解除のための情報が記録されており、この暗号解除のための情報に基づいて、ネットワーク送信されてくる暗号化映像の暗号解除を行うように構成されていることを特徴とするディジタル放送受信装置。
【請求項６】
放送受信装置に有線／無線接続するためのネットワーク接続手段と、ネットワーク接続された放送受信装置に対する映像転送の要求の許可／不許可を決定する制御カードが装着されるカードインターフェイスと、を備えており、前記カードインターフェイスに正規の制御カードが装着されているときに限り、前記映像転送の要求を行うように構成されていることを特徴とする映像再生装置。
【請求項７】
請求項６に記載の映像再生装置において、前記制御カードには暗号解除のための情報が記録されており、この暗号解除のための情報に基づいて、ネットワーク送信されてくる暗号化映像の暗号解除を行うように構成されていることを特徴とする映像再生装置。
【発明の詳細な説明】
【技術分野】
【０００１】
この発明は、ディジタル放送受信装置及び映像再生装置に関する。
【背景技術】
【０００２】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信するディジタル放送受信装置は、アンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている（特許文献１参照）。
【０００３】
そして、近年においては、複数台のテレビ放送受信機を持つ家庭が多くなっている。
【特許文献１】特開２００３−９０７６号公報
【発明の開示】
【発明が解決しようとする課題】
【０００４】
しかしながら、各テレビ放送受信機はスタンドアロンで使用されており、複数台のテレビ放送受信機の連携的な使用は行われていない。
【０００５】
この発明は、上記の事情に鑑み、複数台の放送受信装置或いは映像再生装置の連携的な使用を可能にし、或る放送受信装置において記録された放送を他の放送受信装置や映像再生装置において視聴することができるようにすることを目的とする。
【課題を解決するための手段】
【０００６】
この発明のディジタル放送受信装置は、上記課題を解決するために、受信したディジタル放送映像を記録媒体に記録する記録装置を具備するか或いは記録装置が外部接続可能に構成されたディジタル放送受信装置において、他の放送受信装置又は映像再生装置が有線／無線接続されるネットワーク接続手段を備え、有線／無線接続された他の放送受信装置又は映像再生装置から記録済放送映像の転送要求を受けたときに、記録媒体から読み出した記録済放送映像を前記ネットワーク接続手段によって他の放送受信装置又は映像再生装置に送信するように構成されていることを特徴とする。
【０００７】
上記の構成であれば、複数台の放送受信装置或いは映像再生装置の連携的な使用を可能にし、当該ディジタル放送受信装置において記録されたディジタル放送を他の放送受信装置や映像再生装置において視聴することができる。
【０００８】
上記構成のディジタル放送受信装置において、前記転送要求に対して転送の許可／不許可を決定する制御カードが装着されるカードインターフェイスを備えており、前記カードインターフェイスに正規の制御カードが装着されているときに限り、前記転送要求に応えて記録済放送映像のネットワーク送信を行うように構成されているのがよい。更に、前記制御カードには暗号化のための情報が記録されており、この暗号化のための情報に基づいて記録済放送映像を暗号化してネットワーク送信するように構成されているのがよい。
【０００９】
また、この発明のディジタル放送受信装置は、他の放送受信装置に有線／無線接続するためのネットワーク接続手段と、ネットワーク接続された他の放送受信装置に対する映像転送の要求の許可／不許可を決定する制御カードが装着されるカードインターフェイスと、を備えており、前記カードインターフェイスに正規の制御カードが装着されているときに限り、前記映像転送の要求を行うように構成されていることを特徴とする。かかる構成の放送受信装置において、前記制御カードには暗号解除のための情報が記録されており、この暗号解除のための情報に基づいて、ネットワーク送信されてくる暗号化映像の暗号解除を行うように構成されているのがよい。
【００１０】
また、この発明の映像再生装置は、放送受信装置に有線／無線接続するためのネットワーク接続手段と、ネットワーク接続された放送受信装置に対する映像転送の要求の許可／不許可を決定する制御カードが装着されるカードインターフェイスと、を備えており、前記カードインターフェイスに正規の制御カードが装着されているときに限り、前記映像転送の要求を行うように構成されていることを特徴とする。かかる構成の映像再生装置において、前記制御カードには暗号解除のための情報が記録されており、この暗号解除のための情報に基づいて、ネットワーク送信されてくる暗号化映像の暗号解除を行うように構成されているのがよい。
【発明の効果】
【００１１】
この発明によれば、或るディジタル放送受信装置において録画された放送を他の放送受信装置或いは映像再生装置で再生視聴することができる。また、この再生視聴を制限してコンテンツ保護を図ることができる。
【発明を実施するための最良の形態】
【００１２】
以下、この発明の実施形態のディジタル放送受信装置を図１乃至図６に基づいて説明する。ここで、図１に示すように、家庭内においてディジタル放送受信装置Ａとディジタル放送受信装置Ｂとがルータ３１を用いた有線／無線ＬＡＮ（ローカルエリアネットワーク）によって接続されているとする。そして、ディジタル放送受信装置Ａは録画が行えない環境下にあり、その一方、ディジタル放送受信装置Ｂは外部録画機器３２がＩＥＥＥ１３９４等により接続されることで、受信放送の録画が行える環境下にあるとする。なお、外部録画器３２の接続に限らず、ディジタル放送受信装置自身が録画装置を内蔵する形態としてもよい。図２は、録画装置内蔵のディジタル放送受信装置３０を示している。
【００１３】
図２において、アンテナ１は、屋外において所定の方向に向けて配置されており、例えば、ＢＳ（Ｂｒｏａｄｃａｓｔｉｎｇ  Ｓａｔｅｌｌｉｔｅ）から送られてくるディジタル放送波を受信する。このアンテナ１は、一般に周波数変換器を備え、受信／周波数変換した信号をチューナ２に与える。なお、ここでは、例としてＢＳディジタル放送受信を記述しているが、地上波ディジタル放送受信においても同様である。
【００１４】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１５】
スイッチ５はチューナ２から出力されるトランスポートストリームとストリーム記録再生部４から出力されるトランスポートストリームのいずれかをシステムコントローラ１７の指令に従って選択して出力する。
【００１６】
ストリーム記録再生部４は、チューナ２から出力されるトランスポートストリームをシステムコントローラ１７の指令に基づいてＨＤＤ（ハードディスクドライブ）レコーダ６に記録する。また、ストリーム記録再生部４は、システムコントローラ１７から再生指示された番組のトランスポートストリームを読み出してスイッチ５に供給する。
【００１７】
デマルチプレクサ（ＤＥＭＵＸ）３は、スイッチ５を経て得られるトランスポートストリームを、ＭＰＥＧ２（Ｍｏｖｉｎｇ  Ｐｉｃｔｕｒｅ  Ｅｘｐｅｒｔｓ  Ｇｒｏｐｅ２）のビデオストリーム、オーデイオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離し、ビデオストリーム及びオーデイオストリームをＡＶデコーダ７に供給し、ＰＳＩ／ＳＩをシステムコントローラ１７に供給する。なお、トランスポートストリームには複数のチャンネルが多重化されており、このなかから任意のチャンネルを選択するための処理は、前記ＰＳＩ／ＳＩから任意のチャンネルがトランスポートストリーム中でどのパケットＩＤ（ＰＩＤ）で多重化されているかといったデータを取り出すことで可能となる。また、トランスポートストリームの選定（トランスボンダの選定）もＰＳＩ／ＳＩの情報に基づいて行うことができる。
【００１８】
ＡＶデコーダ７は、ビデオストリームに対してデコードを行うビデオデコーダ及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
【００１９】
映像処理回路８は、ＡＶデコーダ７から映像データを受け取ってＤ／Ａ変換を行い、例えばＮＴＳＣフォーマットのコンポジット信号に変換する。音声信号処理回路９は、ＡＶデコーダ７から出力された音声データを受け取ってＤ／Ａ変換を行い、例えば右（Ｒ）音のアナログ信号および左（Ｌ）音のアナログ信号を生成する。
【００２０】
映像出力回路１０及び音声出力回路１１は出力抵抗や増幅器等を備えて成る。ＡＶ出力端子１２には出力部（左右音声出力端子等や映像出力端子のセット）が設けられており、この出力部には、ディスプレイやスピーカを備えるモニタ１４が映像／音声コード１３によって接続される。
【００２１】
ＯＳＤ（オンスクリーンディスプレイ）回路１９は、システムコントローラ１７から出力指示された文字情報や色情報に基づくビットマップデータを加算器２０に出力する。加算器２０は前記ビットマップデータに基づく映像を受信映像に組み込む処理を行う。上記ＯＳＤ回路１９により、システムコントローラ１７が受け取ったＳＩに基づくＥＰＧ（Ｅｌｅｃｔｒｏｎｉｃ  Ｐｒｏｇｒａｍ  Ｇｕｉｄｅ）画面表示、メニュー画面表示、各種情報の入力のための画面表示などが実現される。
【００２２】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。リモコン受光器１６は、前記リモコン送信機１５のキーが操作されたときに出力される信号光を受光し、これを電気信号に変換してシステムコントローラ１７に与える。
【００２３】
メモリ（例えば、ＲＡＭ、ＲＯＭ、フラッシュメモリ、ＥＥＰＲＯＭなど）１８には、ＥＰＧ等に利用される番組情報（番組内容、番組開始時刻、番組継続時間、ジャンル情報等）、録画予約情報、ローカルエリアネットワークの設定情報等がシステムコントローラ１７の処理によって格納される。
【００２４】
カードＩＦ（インターフェイス）２１は、システムコントローラ１７の指示に基づき、装填されたカード２２から情報を読み出し、この情報をシステムコントローラ１７に与える。システムコントローラ１７は、前記情報に基づいて映像送信の許可／不許可を判断する。
【００２５】
また、ディジタル放送受信装置３０（Ｂ）は、暗号化／暗号解除処理部２３及び通信機能部２４を備え、ローカル通信網（ＬＡＮ）２５を介して他の機器と通信（画像データ送受信）が行えるようになっている。暗号化或いは暗号解除のためのキーは前記カード２２に記録されている。なお、ディジタル放送受信装置Ａの構成はディジタル放送受信装置３０（Ｂ）の構成においてストリーム記録再生部４及びＨＤＤレコーダ６を有しないものに相当する。ローカルエリアネットワークにおいて必要とされる各種情報の入力のために、上記ＯＳＤ回路１９を用い、図３に示すような入力画面が表示される。ユーザは、リモコン送信機１５のキーを操作することにより、必要な情報（ローカルなＩＰアドレス等）を上記画面の所定入力欄に入力することができる。なお、図３では録画装置の接続の有無をユーザにより入力することとしているが、録画装置の接続の有無は受信装置において自動判定することもできる。また、図４に示すごとく、ネットワーク接続されている受信装置の一覧情報が各受信装置において表示されるようにしている。
【００２６】
図３に示したごとく情報が設定され記憶されている場合において、ディジタル放送受信装置Ａからディジタル放送受信装置Ｂに対して、ＨＤＤレコーダ６（以下、単に記録装置ということがある）に記録されたストリームをＬＡＮ通信にて再生指示する処理を図６のフローチャートに基づいて説明していく。
【００２７】
まず、ユーザは、ディジタル放送受信装置Ａのリモコン送信機１５を操作し、ディジタル放送受信装置Ａのローカルな通信環境に接続されている他受信装置と記録装置の有無の一覧（図４参照）を表示させる。すなわち、リモコン送信機１５からの信号を受けたディジタル放送受信装置Ａのシステムコントローラ１７は不揮発性のメモリ１８から他受信装置一覧情報を取得し、この情報に基づく画面の表示をＯＳＤ回路１９に要求する。ＯＳＤ回路１９の処理により、モニタ１４の画面上に他受信装置一覧が表示される（ステップＳ１）。
【００２８】
ユーザは、一覧表示された他受信装置と記録装置の接続有無の情報に基づいて記録装置有りのディジタル放送受信装置Ｂを選択する。すなわち、この選択操作情報を受けたディジタル放送受信装置Ａは、ディジタル放送受信装置Ｂを通信相手として選択する処理を行う（ステップＳ２）。そして、ユーザは、記録放送の再生要求をリモコン送信機１５を用いて行う。すなわち、ディジタル放送受信装置Ａのシステムコントローラ１７は、受信したリモートコントローラ制御信号をＴＣＰ／ＩＰのコマンドに変換して通信機能部２４に送る（ステップＳ３）。通信機能部２４はコマンドをローカル通信網２５に送出する。これにより、ディジタル放送受信装置Ａからディジタル放送受信装置Ｂへの記録放送の再生要求が行われたことになる。
【００２９】
ディジタル放送受信装置Ｂは、ディジタル放送受信装置Ａからの再生要求を、ローカル通信網２５及び通信機能部２４を介して受け取る。ディジタル放送受信装置Ｂのシステムコントローラ１７は、不揮発性のメモリ１８に登録されているローカル通信環境の設定情報に基づいて、ディジタル放送受信装置Ａがネットワークに接続されているディジタル放送受信装置であることを確認する。そして、ディジタル放送受信装置Ｂのシステムコントローラ１７は、前記再生要求に対して再生可能であるという応答情報を、通信機能部２４及びローカル通信網２４を介してディジタル放送受信装置Ａに対して通知する。なお、ディジタル放送受信装置Ｂは、記録放送のタイトル等から成る録画番組一覧データをディジタル放送受信装置Ａに送信してもよい。
【００３０】
ディジタル放送受信装置Ａは、前記応答情報（再生可能であることを通知する信号）を、ローカル通信網２５及び通信機能部２４を介して取得する（ステップＳ４）。その後、ディジタル放送受信装置Ａは、ＯＳＤ回路１９に再生操作画面の表示を要求する。このＯＳＤ回路１９により、図５の再生操作画面がディジタル放送受信装置Ａのモニタ１４の画面に表示される（ステップＳ５）。上記の再生操作画面は、ダイアログ表示であり、表示ＯＮ／ＯＦＦできるものとする。なお、この再生操作画面上に前記録画番組一覧データによるリスト表示を行い、再生対象となる番組の選択を行わせてもよい。
【００３１】
再生操作画面の表示後、ユーザはディジタル放送受信装置Ａのリモコン送信機１５を用いた操作を行う。ここで、画面上の「再生」ボタンが押下されたとすると、ディジタル放送受信装置Ａは、前述の再生要求と同様の流れによりディジタル放送受信装置Ｂに再生開始要求を行う（ステップＳ６）。再生開始要求を受信したディジタル放送受信装置Ｂのシステムコントローラ１７は、カードＩＦ２１に正規の制御カード２２が挿入されていることを検知したなら、暗号化キーを制御カード２２から取得する。そして、この暗号化キーを用いて暗号化／暗号解除処理部２３において送信映像に対して独自の暗号化処理を行い、この暗号化ストリームを通信機能部２４及びローカル通信網２５を介してディジタル放送受信装置Ａに送信する。
【００３２】
ディジタル放送受信装置Ａのシステムコントローラ１７は、再生開始要求後、暗号化ストリームの受信に備え、カードＩＦ２１に正規の制御カード２２が挿入されているかどうかを検知しておき、挿入されている場合には、制御カード２２から暗号解除キーを取得しておく。ディジタル放送受信装置Ａは、通信機能部２４及びローカル通信網２５を介してディジタル放送受信装置Ｂより暗号化ストリームを受信し（ステップＳ７）、暗号化／暗号解除処理部２３において前記暗号解除キーを用いて暗号化ストリームの暗号解除を行う（ステップＳ８）、暗号解除されたストリームはＡＶデコーダ７において復号化され、映像処理回路８等によって再生される（ステップＳ９）。ユーザは、これを視聴することとなる（ステップＳ１０）。
【００３３】
上述のごとく、ストリームの送出／受信／再生は、独自の制御カード２２及び暗号化処理及び受信装置のローカル通信網における通信設定情報等により、ローカル環境内でのみ有効としており、制御カード２２を挿入しなければ動作しない（送受信処理そのものができない、或いは、暗号解読できない）ようにしていることで、ストリームが保護される。制御カード２２は例えば複数枚が組として提供される。
【００３４】
このように、通信機能を備える放送受信装置をローカルな通信網に接続し、相互通信を行うことにより、家の中で異なる場所に設置している或る放送受信装置で他の放送受信装置において記録されている受信放送を再生視聴することが可能になる。
【００３５】
なお、上記の例では、記録装置を有しないディジタル放送受信装置Ａが記録装置を有するディジタル放送受信装置Ｂから再生ストリームを受信する形態を示したが、記録装置を有するディジタル放送受信装置が記録装置を有する他のディジタル放送受信装置から再生ストリームを受信することも可能である。また、ネットワーク接続された映像再生装置が記録装置を有するディジタル放送受信装置Ｂから再生ストリームを受信する形態も考えられる。この映像再生装置は例えば親テレビである記録装置を有するディジタル放送受信装置Ｂからストリームを受信して再生する可搬型の子テレビである。親テレビで受信記録済放送を再生して子テレビにネットワーク送信する場合にも、前記制御カードによる制限がかけられる方がコンテンツ保護の上で望ましいといえる。
【図面の簡単な説明】
【００３６】
【図１】この発明の実施形態の複数の放送受信装置のネットワーク接続状態を示した説明図である。
【図２】録画装置内蔵のディジタル放送受信装置を示したブロック図である。
【図３】ネットワーク設定画面を示した説明図である。
【図４】ネットワークの設定一覧画面を示した説明図である。
【図５】再生操作画面を示した説明図である。
【図６】再生要求の処理内容を示したフローチャートである。
【符号の説明】
【００３７】
１    アンテナ
２    チューナ
６    ＨＤＤレコーダ
１７  システムコントローラ
１８  メモリ
２１  カードＩＦ
２２  制御カード
２３  暗号化／暗号解除処理部
２４  通信機能部
２５  ローカル通信網
【図１】
2006109134.tif 000003
【図２】
2006109134.tif 000004
【図３】
2006109134.tif 000005
【図４】
2006109134.tif 000006
【図５】
2006109134.tif 000007
【図６】
2006109134.tif 000008